(57)【要約】【課題】  簡単な構成でメモリカード以外の異物が挿入されるなどしてコネクタのピンが破損する事態が生じるのを防止できるようにする。【解決手段】  カード移動経路を挟んで基板１と対向し当該挿入口１０近傍の基端部３１を中心として回動可能に設けられた腕部材３０と、この腕部材３０の先端部に固設され当該腕部材３０がカード移動経路に接近した待機位置に位置決めされた場合にはピン２２の手前でカード移動経路を遮断しかつ当該腕部材３０が待機位置から外方へ回動された場合には当該カード移動経路の外方へ移動するストッパ４０と、腕部材３０に設けられメモリカード（５）上面の両側端部（８，８）と摺接して当該カード（５）の挿入方向移動に連動してストッパ４０がカード移動経路を遮断している位置から外方へ移動するまで当該腕部材３０と共に回動する一対の係合部材（５０，５０）とを備える。【選択図】  図１
0003102580.tif 000002
【実用新案登録請求の範囲】
【請求項１】
基板上に挿入口と対向するように配設されたメモリカード用コネクタのピンを保護する装置であって、
前記挿入口と前記ピンとの間のカード移動経路を挟んで基板と対向し当該挿入口近傍の基端部を中心として回動可能に設けられた腕部材と、この腕部材の先端部に固設され当該腕部材がカード移動経路に接近した待機位置に位置決めされた場合には前記ピンの手前でカード移動経路を遮断しかつ当該腕部材が待機位置から外方へ回動された場合には当該カード移動経路の外方へ移動するストッパと、腕部材に設けられメモリカード上面の両側端部と摺接して当該カードの挿入方向移動に連動してストッパがカード移動経路を遮断している位置から外方へ移動するまで当該腕部材と共に回動する一対の係合部材と、を備えたことを特徴とするメモリカード用コネクタのピン保護装置。
【請求項２】
前記腕部材と前記ストッパと前記係合部材とが、前記カード移動経路を四方から覆い可能な板形状とされた請求項１記載のメモリカード用コネクタのピン保護装置。
【請求項３】
前記腕部材と前記ストッパと前記係合部材とが、合成樹脂材料または金属材料で一体的に形成された請求項１又は２記載のメモリカード用コネクタのピン保護装置。
【請求項４】
メモリカード上面に形成された突起に対応して前記挿入口の縁部に当該突起の通行を許容する凹部を設けた請求項１，２又は３記載のメモリカード用コネクタのピン保護装置。
【考案の詳細な説明】
【技術分野】
【０００１】
本考案は、メモリカード〔コンパクトフラッシュ（登録商標）等〕用のコネクタのピン保護装置に関する。
【背景技術】
【０００２】
最近、デジタルカメラやパーソナルコンピュータ等の電子機器に用いる記録媒体として、コンパクトフラッシュ（登録商標）等のメモリカードが広く用いられるようになっている。例えば、コンパクトフラッシュ（登録商標）は、その外形が長方形の薄い板状とされており、数十メガバイトの大容量の記録が可能とされている。
【０００３】
メモリカードは、電子機器の所定部位に設けられたコネクタに挿入されることにより、電気機器の回路と接続されてデータの読み出しや書き込みが行われる。
【０００４】
図８（Ａ），（Ｂ）に、メモリカード用のコネクタの従来構成を示す（例えば、特許文献１，２参照）。
【０００５】
図８において、１は基板（例えば、プリント配線基板）である。基板１上には、挿入口１０が配設されているとともに、当該挿入口１０と対向するようにコネクタ２０が配設されている。挿入口１０は、薄型ブロック形状の挿入口形成部材１１の通し穴として形成されている。この挿入口１０は、幅〔図９（Ａ）の紙面と直交方向の寸法〕が図１０に示すコンパクトフラッシュ（登録商標）５の横寸法よりも若干大きく、高さはコンパクトフラッシュ（登録商標）５の厚みよりは若干大きく形成されている。
【０００６】
コネクタ２０は、平面形状がコの字形状の本体２１と、この本体２１に挿入口１０へ向けて突設された複数本（例えば、５０本）のピン２２等とから構成されている。また、図８において、２は電子機器の本体ケース、３は本体ケース２に設けられたカード出し入れ口である。
【０００７】
なお、コンパクトフラッシュ（登録商標）５は、図１０（Ａ），（Ｂ），（Ｃ）に示すように、平面形状が長方形状（横４２．８ｍｍ×縦３６．４ｍｍ）で薄型（厚さ３．３ｍｍまたは５ｍｍ）とされており、前側端面６はコネクタ２０（詳しくはピン２２）と接続される面とされている。この前側端面６には、コネクタ２０のピン２２と対応して複数個のピン通過穴６ａが設けられている。また、コンパクトフラッシュ（登録商標）５の両側端面（７，７）には、ガイド用の溝（７ａ，７ａ）が形成されており、挿入時にコネクタ２０の本体２１の両内側端面のガイド用突条（２３，２３）と摺接して、円滑にピン２２と接続されるように構成されている。
【０００８】
コンパクトフラッシュ（登録商標）５を、図８（Ａ）に示すように、前側端面６が先頭となるように本体ケース２のカード出し入れ口３を介して基板１上の挿入口１０に差し込めば、当該コンパクトフラッシュ（登録商標）５は両ガイド用突条（２３，２３）に案内されつつコネクタ２０のピン２２に接近し、その前側端面６はピン２２と接続する。
【特許文献１】特開２００２−２４７７０号公報
【特許文献２】特開２００３−１２３９２９号公報
【考案の開示】
【考案が解決しようとする課題】
【０００９】
ところで、上記したコネクタ２０において、図９（Ａ），（Ｂ）に示すように、例えば子供が面白半分で定規９０を挿入口１０に差し込んた場合、当該定規９０の先端が挿入口１０を通過してコネクタ２０のピン２２に当接して当該ピン２２を破損させてしまう事態が生じることがある。上記した例は、コンパクトフラッシュ（登録商標）以外の薄型の異物を差し込んだ場合であるが、コンパクトフラッシュ（登録商標）を向きを間違えて差し込んでしまった場合（すなわち、前側端面を先頭にしない状態で差し込んでしまった場合）にも同様のピン破損事故が生じることがある。なお、上記したピンの破損事故は、コンパクトフラッシュ（登録商標）以外のメモリカードでも生じ得る。
【００１０】
本考案は、簡単な構成でメモリカード以外の異物が挿入されるなどしてコネクタのピンが破損する事態が生じるのを防止できるメモリカード用コネクタのピン保護装置を提供することを目的とする。
【課題を解決するための手段】
【００１１】
上記目的を達成するために、請求項１の考案は、基板上に挿入口と対向するように配設されたメモリカード用コネクタのピンを保護する装置であって、前記挿入口と前記ピンとの間のカード移動経路を挟んで基板と対向し当該挿入口近傍の基端部を中心として回動可能に設けられた腕部材と、この腕部材の先端部に固設され当該腕部材がカード移動経路に接近した待機位置に位置決めされた場合には前記ピンの手前でカード移動経路を遮断しかつ当該腕部材が待機位置から外方へ回動された場合には当該カード移動経路の外方へ移動するストッパと、腕部材に設けられメモリカード上面の両側端部と摺接して当該カードの挿入方向移動に連動してストッパがカード移動経路を遮断している位置から外方へ移動するまで当該腕部材と共に回動する一対の係合部材と、を備えたものである。
【００１２】
上記した請求項１の考案の場合、メモリカードの横寸法と同じ程度離れた両係合部材と接触して当該両部材を一緒に押し上げなければ、ストッパによるカード移動経路の遮断が解除されないので、当該カードよりも横寸法の小さい薄型の異物（定規等）を挿入口へ挿入しても、ストッパによってコネクタのピンに到達するのが阻止される。なお、メモリカードよりも横寸法や厚みが大きい定規等は挿入口に入らないので、コネクタのピンを破損することはない。
【００１３】
また、メモリカードを向きを間違えて差し込んでしまった場合（すなわち、コネクタのピンと接続される面を先頭にしない状態で差し込んでしまった場合）でも、カードの縦寸法は横寸法よりも相当程度小さいのが普通であるので、挿入時に上記した両係合部材を一緒に押し上げることはできない。そのため、コネクタのピンへの接近をストッパに阻まれることになる。
【００１４】
したがって、簡単な構成でメモリカード以外の異物が挿入されるなどしてコネクタのピンが破損する事態が生じるのを防止できる。
【００１５】
請求項２の考案は、前記腕部材と前記ストッパと前記係合部材とが、前記挿入口と前記ピンとの間のカード移動経路を四方から覆い可能な板形状とされたものである。
【００１６】
上記した請求項２の考案の場合、請求項１の考案の場合と同様な作用・効果を奏し得る他、挿入口から入り込んでくるゴミがコネクタのピンへ付着するのを防止できる。
【００１７】
請求項３の考案は、前記腕部材と前記ストッパと前記係合部材とが、合成樹脂材料または金属材料で一体的に形成されたものである。
【００１８】
上記した請求項３の考案の場合、請求項１又は２の考案の場合と同様な作用・効果を奏し得る他、一段と構成が簡単化されるとともに製造コストも低減する。
【００１９】
請求項４の考案は、メモリカード上面に形成された突起に対応して前記挿入口の縁部に当該突起の通行を許容する凹部を設けたものである。
【００２０】
上記した請求項４の考案の場合、請求項１，２又は３の考案の場合と同様な作用・効果を奏し得る他、メモリカードの横寸法と縦寸法とが同一のものであっても、メモリカードの挿入向きの間違いによるコネクタピンの破損を防止できる。
【考案の効果】
【００２１】
請求項１の考案によれば、簡単な構成でメモリカード以外の異物が挿入されるなどしてコネクタのピンが破損する事態が生じるのを防止できる。
【００２２】
請求項２の考案によれば、請求項１の考案の場合と同様な効果を奏し得る他、挿入口から入り込んでくるゴミがコネクタのピンへ付着等するのを防止できる。
【００２３】
請求項３の考案によれば、請求項１又は２の考案の場合と同様な効果を奏し得る他、一段と構成が簡単化されるとともに製造コストも低減する。
【００２４】
請求項４の考案によれば、請求項１，２又は３の考案の場合と同様な効果を奏し得る他、メモリカードの横寸法と縦寸法とが同一のものであっても、メモリカードの挿入向きの間違いによるコネクタピンの破損を防止できる。
【考案を実施するための最良の形態】
【００２５】
本考案の最良の実施形態を図面に基づき説明する。
【００２６】
本考案に係るメモリカード用コネクタのピン保護装置は、図１（Ａ），（Ｂ），（Ｃ）に示すように、基板１上に挿入口１０と対向するように配設されたメモリカード用コネクタ２０のピン２２を保護する装置であって、腕部材３０と、この腕部材３０の先端部３２に固設されピン２２の手前でカード移動経路を遮断・遮断解除可能なストッパ４０と、腕部材３０に設けられメモリカード（５）上面の両側端部（８，８）と摺接して当該カード（５）の挿入方向移動に連動して腕部材３０とともに押し上げられてストッパ４０をカード移動経路遮断位置から外方へ移動させる一対の係合部材（５０，５０）と、を備えた構成とされている。
【００２７】
なお、基板１，挿入口１０，コネクタ２０およびコンパクトフラッシュ（登録商標）５等の構成は従来例（図８，図１０）と同様であるので、それらの説明は省略または簡略化する。
【００２８】
上記腕部材３０は、挿入口１０とピン２２との間のカード移動経路を挟んで基板１と対向し当該挿入口１０近傍の基端部３１を中心として回動可能に設けられている。この実施形態では、構成部品を減少してコスト低減を図るために、腕部材３０と挿入口形成部材１１とは一体形成されている。すなわち、腕部材３０の基端部３１は、図５（Ａ），（Ｂ），（Ｃ）に示すように、挿入口形成部材１１の天井部と一体に形成されている。この腕部材３０は、弾性に富んだ合成樹脂材料で形成されており、メモリカード〔この実施形態ではコンパクトフラッシュ（登録商標）５〕が挿入されない状態では、自己の弾性復元力によって図１（Ａ）に示すカード移動経路に上方から接近した位置（待機位置）に静止している。腕部材３０は、図４に示すように、薄板状に形成されており、メモリカード（５）の横寸法と同程度の横寸法を有している。なお、カード移動経路とは、挿入口１０とコネクタ２０のピン２２との間でメモリカード（５）が移動する領域である。
【００２９】
次に、ストッパ４０は、腕部材３０の先端部３２に固設されており、図１（Ａ）に示すように、当該腕部材３０がカード移動経路に接近した待機位置に位置決めされた場合にはピン２２の手前でカード移動経路を遮断し、かつ、同図（Ｂ），（Ｃ）に示すように当該腕部材３０が待機位置から外方へ回動された場合には当該カード移動経路の外方へ移動するものとされている。この実施形態では、ストッパ４０は腕部材３０と一体形成されている。このストッパ４０は、薄板形状とされており、腕部材３０と同程度の横寸法を有している。
【００３０】
両係合部材（５０，５０）は、図１および図２に示すように、腕部材３０の両側端部に設けられており、メモリカード（５）上面の両側端部（８，８）と摺接して当該カード（５）の挿入方向移動に連動してストッパ４０がカード移動経路を遮断している位置から外方へ移動するまで当該腕部材３０と共に回動するように形成されている。この実施形態では、両係合部材（５０，５０）は、腕部材３０と一体形成されている。そして、両係合部材（５０，５０）は、メモリカード（５）の移動に連動して円滑に上方へ回動する（押し上げられる）ように、図５（Ｃ）に示すように、その下端面５１は傾斜面とされている。
【００３１】
この実施形態では、上記した腕部材３０とストッパ４０と係合部材５０とは、一体形成され、腕部材３０が待機位置に位置している場合（すなわち、メモリカード（５）が挿入されていない場合）では、挿入口１０とピン２２との間のカード移動経路を四方から覆う構成とされている。そのため、挿入口１０から入り込んでくるゴミがコネクタ２０のピン２２へ付着等するのを防止できる。
【００３２】
上記したピン保護装置では、メモリカード（５）を、図１および図４に示すように、前側端面６が先頭となるように本体ケース２のカード出し入れ口３を介して基板１上の挿入口１０に差し込んで行けば、当該メモリカード（５）は両係合部材（５０，５０）を介して腕部材３０（したがってストッパ４０）を図１中上方へ回動しつつコネクタ２０のピン２２に接近し、ストッパ４０に妨げられることなく当該メモリカード（５）の前側端面６はピン２２と接続される。
【００３３】
ここで、メモリカード（５）の横寸法と同じ程度離れた両係合部材〈５０，５０〉と接触して当該部材〈５０，５０〉を一緒に押し上げなければストッパ４０によるカード移動経路の遮断が解除されないので、当該カード（５）よりも横寸法の小さい薄型の異物（定規９０等）を挿入口１０へ挿入しても、ストッパ４０によってコネクタ２０のピン２２に到達するのが阻止される。なお、メモリカード（５）よりも横寸法や厚みが大きい定規９０等は挿入口１０に入らないので、コネクタ２０のピン２２を破損することはない。
【００３４】
また、メモリカード（５）を向きを間違えて差し込んでしまった場合（すなわち、コネクタ２０のピン２２と接続される面を先頭にしない状態で差し込んでしまった場合）でも、カード（５）の縦寸法は横寸法よりも相当程度小さいのが普通であるので、挿入時に上記した両係合部材〈５０，５０〉を一緒に押し上げることはできない。そのため、コネクタ２０のピン２２への接近をストッパ４０に阻まれることになる。
【００３５】
したがって、簡単な構成でメモリカード（５）以外の異物（９０等）が挿入されるなどしてコネクタ２０のピン２２が破損する事態が生じるのを防止できる。
【００３６】
また、上記したように、腕部材３０とストッパ４０と係合部材５０とが、合成樹脂材料で一体的に形成されているので、一段と構成が簡単化されるとともに製造コストも低減する。
【００３７】
なお、図７に示すように、メモリカード（５）上面に形成された突起９に対応して挿入口１０の縁部に当該突起９の通行を許容する凹部１２を設けた構成とすれば、メモリカード（５）の横寸法と縦寸法とが同一のものであっても、メモリカード（５）の挿入向きの間違いによるコネクタピン２２の破損を防止できる。
【００３８】
また、上記実施形態では、腕部材３０とストッパ４０と係合部材５０とを合成樹脂材製としたが、金属材料で一体的に形成してもよい。また、本考案はコンパクトフラッシュ（登録商標）以外のメモリカードにも適用できる。また、図５中２点鎖線で示すように、腕部材３０を基板１に向けて押圧する補強ばね７０を設けてもよい。かかる構成とすることにより、腕部材３０の基端部３１のへたりをカバーして、ストッパ４０によるカード移動経路の遮断をより一層確実なものとし、異物が薄いものであってもコネクタ２０のピン２２と当接するのを一段と確実に防止することができる。
【図面の簡単な説明】
【００３９】
【図１】本考案の実施形態を説明するための図である。
【図２】係合部材の動作を説明するための図である。
【図３】定規がピンに到達するのを阻止する様子を示す図である。
【図４】本ピン保護装置の平面形状を説明するための図である。
【図５】本ピン保護装置の全体形状を説明するための図である。
【図６】メモリカードの装着を説明するための図である。
【図７】挿入口の縁部に設けた凹部を説明するための図である。
【図８】従来例を説明するための図である。
【図９】従来例において生じる不都合を説明するための図である。
【図１０】コンパクトフラッシュ（登録商標）を説明するための図である。
【符号の説明】
【００４０】
１  基板
５  コンパクトフラッシュ（登録商標）
８  上面側端部
９  突起
１０  挿入口
１２  凹部
２０  コネクタ
２２  ピン
３０  腕部材
３１  基端部
３２  先端部
４０  ストッパ
５０  係合部材
【図１】
0003102580.tif 000003
【図２】
0003102580.tif 000004
【図３】
0003102580.tif 000005
【図４】
0003102580.tif 000006
【図５】
0003102580.tif 000007
【図６】
0003102580.tif 000008
【図７】
0003102580.tif 000009
【図８】
0003102580.tif 000010
【図９】
0003102580.tif 000011
【図１０】
0003102580.tif 000012